(57)【要約】【課題】スケール裏側への紙粉やゴミの進入を防止することができ、異常画像の発生を防止できる原稿読取装置を提供する。【解決手段】コンタクトガラス１上に載置された原稿をスキャナの走査により読み取る原稿読取装置において、コンタクトガラス１端部に固定される原稿基準用のスケール７の裏側に設置されるシェーディング補正用の白基準板９が、付勢手段（ゴム部材１０）によってコンタクトガラス１表面に密着している。【選択図】        図２
2004186996.tif 000002
【特許請求の範囲】
【請求項１】
コンタクトガラス上に載置された原稿をスキャナの走査により読み取る原稿読取装置において、コンタクトガラス端部に固定される原稿基準用のスケールの裏側に設置されるシェーディング補正用の白基準板が、付勢手段によってコンタクトガラス表面に密着していることを特徴とする原稿読取装置。
【請求項２】
付勢手段をゴム部材またはスポンジ部材で構成したことを特徴とする請求項１記載の原稿読取装置。
【請求項３】
付勢手段を板バネで構成したことを特徴とする請求項１記載の原稿読取装置。
【発明の詳細な説明】
【０００１】
【発明の属する技術分野】
本発明は、コンタクトガラス上に載置された原稿をスキャナの走査により読み取る原稿読取装置に関する。
【０００２】
【従来の技術】
図５は一般的な原稿読取装置の全体構成図である。原稿読取装置は、上面にコンタクトガラス１を有し、その下方に露光ランプ２、ミラーを有する第１のスキャナ３と、複数のミラーを有する第２のスキャナ４と、結像レンズ５と、結像された画像を光電変換するＣＣＤ６とを備えた公知のものである。
【０００３】
第１のスキャナ３と第２のスキャナ４とが共役長を保ちながら図の右側に原稿を走査してＣＣＤ６上で原稿画像を電気信号に変換する。電気信号に変換された画像データはその後、図示しない画像処理部で各種の画像変換が行われる。
【０００４】
図６はコンタクトガラスを本体から取り外した状態を示す斜視図である。コンタクトガラス１は左スケール７と奥スケール８によって保持されている。図示しない自動原稿送り装置から原稿をコンタクトガラス１に給紙する場合、原稿のレジスト・スキュー矯正のために原稿先端をスケール先端に付き当てる動作を行っている。またオペレータが原稿をコンタクトガラス１上に載置する場合も同様である。
【０００５】
図７はスケールとコンタクトガラス部分の拡大図である。スケール（左スケール）７先端がコンタクトガラス１を押さえており、また、スケール７の裏側には白基準板９が貼り付けられている。この白基準板９は原稿画像読取時、結像レンズ５による光量ばらつきやＣＣＤ６の素子のばらつきによる読取レベルの補正に用いられる、濃度が均一なシートである。
【０００６】
また、類似の技術として、プラテンの端部を走査装置のホームポジションとして設定し、原稿移動領域を設けてなる画像読取り装置において、プラテンと原稿ガイド部材との接合部の隙間から、紙粉等が侵入することを防止する手段を設ける特許文献１の「画像読取り装置のシール装置」が知られている。
【０００７】
【特許文献１】
特開平５−３３３４４９号公報
【０００８】
【発明が解決しようとする課題】
最近の原稿読取装置は自動原稿送り装置を標準で装備することが増えてきている。また、読取速度の高速化や原稿となる紙質の多様化等により、コンタクトガラス上に紙粉をはじめとするゴミがたまる可能性が高くなってきている。特に裁断面である紙の端部からの紙粉発生が多く、実際に同サイズの多量の原稿を通した後のコンタクトガラス上には、紙のサイズが判別できるほど紙粉が付くこともある。
【０００９】
一方、自動原稿送り装置の動作として、レジスト合わせのために原稿をスケールに付き当てている。この動作によって、コンタクトガラス上の紙粉・ゴミが原稿によって掃き集められ、スケールとコンタクトガラスの隙間からスケール下に入り込んでしまう。スケール下に入った紙粉・ゴミは、スケール下にある白基準板を汚したり、コンタクトガラス端部から機内へ落下する。
【００１０】
白基準板が汚れた場合、ＣＣＤの補正が正しく行われず濃度ムラや画像かすれ等の不具合をもたらす。また機内へゴミが進入すると、ミラーや結像レンズ、ＣＣＤ等に付着することがあり、白スジや黒スジ等の異常画像が発生する。
【００１１】
これらの不具合を回避するにはスケールとコンタクトガラスの隙間をなくせばよい。そのために、スケールとコンタクトガラスを接着等で一体的にする、コンタクトガラスに溝を掘りスケールを入れ込む、等々考えられるが、部品交換性、コスト、耐久性等までを含めて検討するとどれも実現性は低い。そこで、現状の構成を大きく変えることなく、紙粉・ゴミによる不具合を防止する機構が望まれている。
【００１２】
本発明は、スケール裏側への紙粉やゴミの進入を防止することができ、異常画像の発生を防止できる原稿読取装置を提供することを目的とする。
【００１３】
【課題を解決するための手段】
上記目的を達成するために、請求項１記載の発明は、コンタクトガラス上に載置された原稿をスキャナの走査により読み取る原稿読取装置において、コンタクトガラス端部に固定される原稿基準用のスケールの裏側に設置されるシェーディング補正用の白基準板が、付勢手段によってコンタクトガラス表面に密着している原稿読取装置を最も主要な特徴とする。
【００１４】
請求項２記載の発明は、付勢手段をゴム部材またはスポンジ部材で構成した請求項１記載の原稿読取装置を主要な特徴とする。
【００１５】
請求項３記載の発明は、付勢手段を板バネで構成した請求項１記載の原稿読取装置を主要な特徴とする。
【００１６】
【発明の実施の形態】
以下、本発明の実施の形態を図面に従って説明する。
図１は本発明の第１の実施の形態に係る原稿読取装置におけるスケール部分を示す図、図２は同じくスケールとコンタクトガラスを示す図である。白基準板９は付勢手段としてのゴム部材１０を介在してスケール７の裏面に貼り付けられており、スケール７がコンタクトガラス１に取り付けられない状態では、図１に示すように、白基準板９はスケール先端部よりも０．５ｍｍから１ｍｍ程度下方に突出している。
【００１７】
スケール７がコンタクトガラス１に取り付けられると、図２に示すようにゴム部材１０はたわみ、スケール先端がコンタクトガラス１を押さえると共に白基準板９もコンタクトガラス１に押し付けられる。その結果、原稿によりスケール先端部に掃き集められ、スケール７とコンタクトガラス１の隙間からスケール下に入り込んだ紙粉やゴミは、白基準板９にてせき止められる。
【００１８】
スケール下への紙粉やゴミの進入が長く続くと、白基準板９によるせき止め効果にも限度があるが、従来問題視されていた白基準板９の汚れや機内への進入に対しては、その発生までの時間を延ばすことができ、また発生量を低減することもできる。付勢手段としてゴム部材の代わりに、発砲ポリエチレン等のスポンジ部材を用いても同様の効果を得ることができる。
【００１９】
図３は本発明の第２の実施の形態に係る原稿読取装置におけるスケール部分を示す図、図４は同じくスケールとコンタクトガラスを示す図である。第２の実施の形態では、付勢手段として板バネ１１を使用している。
【００２０】
板バネ１１は厚さ０．１ｍｍ〜０．３ｍｍ程度のステンレス板またはリン青銅板でできており、「へ」の字型の一辺に白基準板９が貼付されており、もう一辺がスケール７の裏面に貼り付けられている。スケール７がコンタクトガラス１に取り付けられない状態では、図３に示すように、白基準板９はスケール先端部よりも０．５ｍｍから１ｍｍ程度下方に突出している。
【００２１】
スケール７がコンタクトガラス１に取り付けられると、図４に示すように板バネ１１はたわみ、スケール先端がコンタクトガラス１を押さえると共に白基準板９もコンタクトガラス１に押し付けられる。その結果、第１の実施の形態と同様の作用、効果が得られる。
【００２２】
【発明の効果】
請求項１に記載の発明によれば、シェーディング補正用の白基準板が付勢手段によってコンタクトガラス表面に密着しているので、スケール裏側への紙粉やゴミの進入を防止することができ、異常画像の発生を防止することができる。
【００２３】
請求項２に記載の発明によれば、白基準板の付勢手段としてゴム部材またはスポンジ部材を使用しているので、従来とほぼ同じ構成で、かつ比較的安価に異常画像の発生を防止することができる。
【００２４】
請求項３に記載の発明によれば、白基準板の付勢手段として板バネを使用しているので、経時的に安定してかつ確実に異常画像の発生を防止することができる。
【図面の簡単な説明】
【図１】本発明の第１の実施の形態に係る原稿読取装置におけるスケール部分を示す図である。
【図２】同じくスケールとコンタクトガラスを示す図である。
【図３】本発明の第２の実施の形態に係る原稿読取装置におけるスケール部分を示す図である。
【図４】同じくスケールとコンタクトガラスを示す図である。
【図５】一般的な原稿読取装置の全体構成図である。
【図６】コンタクトガラスを本体から取り外した状態を示す斜視図である。
【図７】図５に示すスケールとコンタクトガラス部分の拡大図である。
【符号の説明】
１  コンタクトガラス
７  スケール
９  白基準板
１０  ゴム部材
【図１】
2004186996.tif 000003
【図２】
2004186996.tif 000004
【図３】
2004186996.tif 000005
【図４】
2004186996.tif 000006
【図５】
2004186996.tif 000007
【図６】
2004186996.tif 000008
【図７】
2004186996.tif 000009